(57)【要約】【課題】  なめらかな動画再生と、ボケのないクリアで高解像度の静止画キャプチャとを両立させることのできる映像装置を提供すること。【解決手段】この映像装置は、インターレススキャンにより撮像画像をインターレス画像として撮像するインターレス撮像部と、プログレッシブスキャンにより撮像画像をプログレッシブ画像として撮像するプログレッシブ撮像部と、プログレッシブ画像をインターレス画像に変換する画像変換部と、画像変換部により変換されたインターレス画像をインターレス撮像部により撮像されたインターレス画像に離散的に混入させて一連の動画像として出力する出力部とを有する。【選択図】  図２
2005348050.tif 000002
【特許請求の範囲】
【請求項１】
インターレススキャンにより撮像画像をインターレス画像として撮像するインターレス撮像部と、
プログレッシブスキャンにより前記撮像画像をプログレッシブ画像として撮像するプログレッシブ撮像部と、
前記プログレッシブ画像をインターレス画像に変換する画像変換部と、
前記画像変換部により変換されたインターレス画像を前記インターレス撮像部により撮像されたインターレス画像に離散的に混入させて一連の動画像として出力する出力部とを有することを特徴とする映像装置。
【請求項２】
前記一連の動画像を表示する表示器をさらに有することを特徴とする請求項１に記載の映像装置。
【請求項３】
前記インターレス撮像部のシャッター速度と前記プログレッシブ撮像部のシャッター速度とが異なる速度であることを特徴とする請求項１に記載の映像装置。
【請求項４】
前記プログレッシブ撮像部のシャッター速度が前記インターレス撮像部のシャッター速度より高速であることを特徴とする請求項３に記載の映像装置。
【請求項５】
前記一連の動画像の中から使用者の要求に応じて静止画像を取得する静止画像キャプチャ機能をさらに有し、前記静止画像として前記プログレッシブ画像を出力することを特徴とする請求項１に記載の映像装置。
【請求項６】
前記静止画像取得の要求が入力された時間に最も近い時間に撮像された前記プログレッシブ画像を前記静止画像として出力することを特徴とする請求項５に記載の映像装置。
【請求項７】
前記静止画像取得の要求の入力時点の前後に渡って所定時間範囲内で取得すべき静止画像を選択する機能をさらに有することを特徴とする請求項５に記載の映像装置。
【請求項８】
所定のシャッター速度において撮像を行う撮像部と、
前記所定のシャッター速度とは異なるシャッター速度で撮像を行う他の撮像部と、
前記撮像部により撮像された撮像画像に前記他の撮像部により撮像された撮像画像を混入させて一連の動画像として出力する出力部とを有することを特徴とする映像装置。
【請求項９】
プログレッシブスキャンにより撮像されたプログレッシブ画像をインターレス画像に変換したものを、インターレススキャンにより撮像されたインターレス画像に離散的に混入させて一連の動画像として出力するステップを有することを特徴とする映像出力方法。
【発明の詳細な説明】
【技術分野】
【０００１】
本発明は、映像装置及び映像出力方法に係り、特に動画再生と静止画キャプチャとの両方の機能を有する映像装置に関する。
【背景技術】
【０００２】
昨今の、パーソナルコンピュータ（以下ＰＣという。）やデジタルカメラの普及、プリンタの著しい高画質化に伴い、撮影した静止画を、高画質で容易にプリントすることが可能となった。一方、ビデオカメラ等で動画の撮影後、撮影した動画像から好みの静止画像を抽出し、印刷して残しておきたいという要望も従来から存在していた。従来、これらビデオカメラによる動画の撮影は、動画に適した比較的遅い１／６０秒程度の一定のシャッター速度で撮影していた。
【０００３】
このように撮影された動画像より静止画キャプチャを行うと、被写体の動きや撮影時のブレで画像がぼけてしまい、クリアな静止画を得るのは困難であった。動きの速い対象を撮影するものとして、高速シャッターで撮影するモードを有する装置もあり、このようなモードで撮影した画像であれば、キャプチャした静止画もクリアなものとなるが、動画再生の際、動きがギクシャクしてしまうという問題点があった。
【０００４】
これらを改善するものとして、低速のシャッター速度での撮影の中に、定期的に高速シャッター撮影画像を挿入し、静止画キャプチャ時に、該高速シャッターによる撮影画像を混入するものが提案されている（例えば、特許文献１を参照。）。
【特許文献１】特開平７−３２２１２７号公報
【発明の開示】
【発明が解決しようとする課題】
【０００５】
しかしながら、この特許文献１に開示のものは、静止画、動画ともにインターレス（飛び越し走査）撮影画像であるために、静止画の垂直解像度が半分になってしまうという問題があった。また、従来のように、静止画キャプチャの要求後に静止画像を検索する場合、所望の画像を表示できないといった問題もあった。
【０００６】
本発明は、上記の事情に鑑みて為されたもので、なめらかな動画再生と、ボケのないクリアで高解像度の静止画キャプチャとを両立させることのできる映像装置を提供することを例示的目的とする。より具体的には、インターレスによる低速シャッターで撮影した画像の中に、適宜静止画用の高速シャッターで撮影したプログレッシブ画像をインターレスに変換し混入して出力し、静止画キャプチャ時は、プログレッシブ（順次走査）撮影時の画像をキャプチャ画像として採用することで、動画再生とクリアで高解像度のキャプチャ静止画を両立させ、ユーザにとって、高性能の動画撮影や静止画キャプチャを行える装置を提供することを目的の一つとする。
【課題を解決するための手段】
【０００７】
上記の目的を達成するために、本発明の例示的側面としての映像装置は、インターレススキャンにより撮像画像をインターレス画像として撮像するインターレス撮像部と、プログレッシブスキャンにより撮像画像をプログレッシブ画像として撮像するプログレッシブ撮像部と、プログレッシブ画像をインターレス画像に変換する画像変換部と、画像変換部により変換されたインターレス画像をインターレス撮像部により撮像されたインターレス画像に離散的に混入させて一連の動画像として出力する出力部とを有することを特徴とする。その映像装置が、一連の動画像を表示する表示器をさらに有していてもよい。
【０００８】
インターレス撮像部のシャッター速度とプログレッシブ撮像部のシャッター速度とが異なる速度であってもよい。その場合、プログレッシブ撮像部のシャッター速度がインターレス撮像部のシャッター速度より高速であればさらに望ましい。
【０００９】
一連の動画像の中から使用者の要求に応じて静止画像を取得する静止画像キャプチャ機能をさらに有し、静止画像としてプログレッシブ画像を出力するように構成されていてもよい。また、静止画像取得の要求が入力された時間に最も近い時間に撮像されたプログレッシブ画像を静止画像として出力するようになっていればさらに望ましい。さらに、静止画像取得の要求の入力時点の前後に渡って所定時間範囲内で取得すべき静止画像を選択する機能をさらに有していてもよい。
【００１０】
本発明の他の側面としての映像装置は、所定のシャッター速度において撮像を行う撮像部と、所定のシャッター速度とは異なるシャッター速度で撮像を行う他の撮像部と、撮像部により撮像された撮像画像に他の撮像部により撮像された撮像画像を混入させて一連の動画像として出力する出力部とを有することを特徴とする。
【００１１】
本発明の他の側面としての映像出力方法は、プログレッシブスキャンにより撮像されたプログレッシブ画像をインターレス画像に変換したものを、インターレススキャンにより撮像されたインターレス画像に離散的に混入させて一連の動画像として出力するステップを有することを特徴とする。
【００１２】
本発明の他の目的及び更なる特徴は、以下、添付図面を参照して説明される実施形態により明らかにされるであろう。
【発明の効果】
【００１３】
本発明によれば、動画用の低速シャッターでインターレス撮影した画像の中に、適宜静止画用の高速シャッターでプログレッシブ撮影した画像を混入して出力するので、動画を受信装置で再生中に静止画をキャプチャする際に、キャプチャ時点の画像近傍の高速シャッター撮影時の画像をキャプチャ画像として自動選択することができる。したがって、なめらかな動画再生と、ぼけのないクリアで高解像度のキャプチャ静止画を両立できて、ユーザにとって高性能の動画撮影装置、受信装置とすることができる。 また、ユーザにとって、高性能な静止画キャプチャシステムを提供することもできる。プログレッシブ画像を装置内に一時格納することで、ユーザにとってより望ましい画像を表示することができる。
【発明を実施するための最良の形態】
【００１４】
［実施の形態１］
以下、図面を参照して本発明の実施の形態１について説明する。
【００１５】
図１は、本発明の実施の形態１に係る映像装置全体の概略を示すブロック図である。１１は、デジタルビデオカメラ装置（ＤＶ装置）であって、カメラ部で、画像、音声の撮影、録音を行いテープに記録する。また、記録された画像音声の再生を行う。 これらは、後述するネットッワークＳ１１を通じて制御され、テレビ装置（ＴＶ装置）１２に映像、音声、及び制御データを出力できる。
【００１６】
ＴＶ装置１２は、放送局よりのテレビ受信、ネットワークＳ１１に接続された装置とのデータの送受信、リモコン装置１３とのデータの送受信を行い、映像、音声、及び操作データ等の表示、音声出力、また、リモコン装置１３からの操作により表示された画像の静止画キャプチャ（静止画像の取得）の制御及びその表示を行う。
【００１７】
リモコン装置１３は、ＴＶ視聴者がＴＶ装置１２やＤＶ装置１１などを制御、操作するために使用するものである。
【００１８】
ネットワークＳ１１は、ＤＶ装置１１、ＴＶ装置１２などを接続し、データの送受信を行うものである。
【００１９】
図２は、ＤＶ装置１１の内部を詳細に示したブロック図である。ＤＶ装置１１は、撮像部１１ａ、変換部１１２、データ合成部１１３、音声入力部１１４、記録部１１５、インターフェイス部１１６、統轄制御部１１９を有して大略構成される。撮像部１１ａは、レンズ部１１０１、アイリス部１１０２、撮像素子１１０３、増幅部１１０４、撮像制御部１１０９を有して大略構成される。
【００２０】
レンズ部１１０１から撮影光が集光され後段へ出力される。アイリス部１１０２は、後述する撮像素子１１０３への光の入力量を調整する。アイリス部１１０２は、後述する撮像制御部１１０９によって制御される。
【００２１】
撮像素子１１０３はＣＣＤ等により構成され、１周期の光入力を蓄積してこれを電気信号に変換、インターレス、あるいはプログレッシブ映像信号Ｖｉとして、後述する増幅部１１０４、及び撮像制御部１１０９へ出力する。 そのＣＣＤへの光蓄積時間は、撮像制御部１１０９により制御される。
【００２２】
増幅部１１０４は、サンプル・ホールド部と、サンプル・ホールド部よりの信号を増幅する可変増幅部より構成されており、ＣＣＤ素子により変換された映像信号をサンプリング、ホールド後、増幅し、後述する変換部１１２へ、映像出力信号Ｖｏとして出力する。増幅部１１０４のゲインは、後述する撮像制御部１１０９により可変とされている。
【００２３】
撮像制御部１１０９は、撮像部１１ａを制御する機能を有する。ＣＣＤよりの電気信号に変換された映像信号を入力し、測光処理を行い、１撮影サイクルの光蓄積量が、ＣＣＤの蓄積容量をオーバーしないように、アイリス、及び、蓄積時間を制御する。 蓄積時間が、カメラにとってのシャッター速度となる。
【００２４】
また、変換された映像信号レベルに応じ、増幅部１１０４の可変増幅部を制御し、アイリスと、ＣＣＤ蓄積時間と共に、映像出力信号Ｖｏを統合的に制御し、映像出力信号Ｖｏより出力する。同時にその映像信号の同期信号も出力する。また、後述する統轄制御部１１９より指示されたシャッター速度等の設定情報に基づき、各部の制御を行う。また、撮影時に設定した、アイリス値、シャッター速度（ＣＣＤ蓄積時間）等の撮影情報データＭｏを、撮影周期（フレーム、あるいはフィールド）単位で出力する。
【００２５】
図３は、撮像部１１ａ内の信号を説明する図である。ＶＤは撮像周期信号であり、撮像部１１ａは撮像周期信号ＶＤを元に動作している。その周期は、本実施の形態においては１／６０秒である。
【００２６】
ＣＨＧは蓄積時間制御信号で撮影周期ごとに設定可能であり、蓄積時間制御信号ＣＨＧに基づき、ＣＣＤ撮像素子１１０３の光蓄積が行われる。映像信号Ｖｉは、ＣＣＤ撮像素子１１０３からの出力信号を表している。
【００２７】
ＶＧは、増幅部１１０４の可変増幅部のゲイン制御信号であり、蓄積制御信号ＣＨＧと同様、撮影周期単位での設定が可能である。Ｖｏは増幅部１１０４からの映像出力信号である。図示しないが、前述のごとく同期信号等も該出力に含まれる。
【００２８】
Ｍｏは、撮影した画像のアイリス値、シャッター速度（蓄積時間）等の撮影情報を撮影周期に同期して出力する撮影情報データである。
【００２９】
Ｄｏは、後述する変換部１１２より出力されるインターレス画像データを示している。変換部１１２は、映像信号をデジタル化、圧縮する変換部であり、入力された映像信号を映像データとしてデジタル化し、後述するデータ合成部１１３へ出力する。本実施の形態１においては、Ａ／Ｄ変換後、プログレッシブ撮影の画像を検出し、これを奇数／偶数ラインに分割し、図３に示すインターレス画像データＤｏのごとく、データ全体をインターレス画像として再配置を行い、全体をインターレス画像データとしてＩＥＣ６１８８３で規定されるいわゆるＤＶフォーマットで変換、出力している。
【００３０】
１１３はデータ合成部であり、撮像制御部１１０９より出力された撮影情報データＭｏと、後述する統轄制御部１１９より得られる撮影モード情報とを映像付加データとしてまとめる。この際、変換部１１２でインターレス変換された画像データには、撮影時の情報を付加する。 これに、変換部１１２でＤＶフォーマットに変換された映像データ、後述する音声入力部１１４よりの音声データ、さらに同期情報、撮影日時等のデータ等、その他の情報データを合成し、後述する記録部１１５、後述するインターフェイス部１１６へ出力する。また、記録部１１５に記録された合成データを、インターフェイス部１１６へ出力する、逆に、インターフェイス部１１６に入力されたデータを記録部１１５へ記録する際のフォーマット変換も行う。
【００３１】
図４は、映像付加情報データの内容を示す図である。録画モードは、どのモードで撮影が行われたかを示している。本ＤＶ装置１１には、（１）１／６０秒のシャッター速度で撮影する通常撮影モード、（２）高速のシャッター速度で撮影するスポーツモード、（３）１／６０秒の低速シャッター速度でｎ−１フレーム（２ｎ−２フィールド）撮影し、１／２５０秒程度の高速シャッター速度でプログレッシブで１周期撮影、１周期休息を繰り返す動画・静止画モードがあり、どのモードで撮影されたかが記載されている。
【００３２】
高速シャッター速度は、通常は、１／２５０秒であるが、撮影条件によっては前後する。この場合、そのシャッター速度は、後述のシャッター速度をみれば判別可能である。 また、プログレッシブ撮影周期ｎも前後するが、その値も、後述の高速シャッター周期の項をみれば判別可能である。レンズＦ値、アイリス値、シャッター速度の各項には、この画像の撮影時の設定値が記されており、再生時にこれらを確認できるようになっている。
【００３３】
プログレッシブ撮影フラグの項は、動画・静止画撮影モードの際、値が“０”なら、インターレス撮影、“１”の場合は、プログレッシブで撮影されている。 この項を見ることで、インターレス／プログレッシブどちらで撮影したかを判別できるようになっている。 尚、この項は、動画・静止画撮影モード以外の撮影モードの時は不要である。
【００３４】
プログレッシブ撮影周期ｎには、動画・静止画撮影モードで撮影された場合の周期ｎの値が記載されており、何回ごとにプログレッシブで撮影されたかが識別できる。尚、動画・静止画撮影モード以外の時、プログレッシブ撮影フレームが定期的に出力されない場合は、この項の値は意味を持たず、この場合は、シャッター速度を直接調査する必要がある。
【００３５】
１１４は、音声入力部であり、撮像部１１ａによる映像撮影と共に、マイクにより音声を入力、増幅後、デジタル化し、音声データとして、データ合成部１１３へ出力する。
【００３６】
１１５は、記録部であり、データをテープに記録するための機構部、制御部、磁気テープ部を有して構成され、統轄制御部１１９よりの指示に従い、データ合成部１１３で生成された映像、音声、映像付加データを図５のごとく磁気テープに記録する。
【００３７】
図５は、磁気テープへの記録フォーマットであり、映像データ７２Ｖ、音声データ７４Ａ、映像付加データ７３ＶＡＵＸ、その他の情報データ７１Ｈを有している。１１６は、ＤＶ装置１１を、ＴＶ装置１２等に接続して図４の映像/音声/付加データを入出力するためのインターフェイス部であり、本実施の形態１では、ＩＥＥＥ１３９４規格に基づいたインターフェイスとなっている。 
【００３８】
図６は、インターフェイス部１１６からの出力フォーマットであり、図５と同様、映像データ７２Ｖ、音声データ７４Ａ、映像付加データ７３ＶＡＵＸ、その他の情報データ７１Ｈを有している。記録部への記録に対し、映像付加データは、撮影周期に１回記録される。尚、このデータ合成部１１３からの出力は、図６のデータを一定サイズに分割し出力する、いわゆるパケット化して出力する。
【００３９】
１１９は操作制御及び統轄制御を行う統轄制御部であり、ＤＶ装置１１を統括的に制御する。 モードの設定、撮影の開始／停止等の操作ボタンや、操作の際にユーザが各種の確認を行う小型表示装置等もこの中に含まれる。統轄制御部１１９は、ユーザのボタン操作に従って撮像部１１ａ、記録部１１５等を制御し、映像の撮影や音声の録音を行い、合成データを記録部１１５の磁気テープに記録し、インターフェイス部１１６よりの出力、また、記録された磁気テープを再生し、そこからの合成データをインターフェイス部１１６より出力する、といった一連の制御を行う。
【００４０】
図７は、ＴＶ装置１２の詳細を説明する図である。
【００４１】
１２０１はアンテナ部であって、ＴＶ放送電波を受信する。１２０２はチューナ部であって、ＴＶ放送の高周波ＴＶ信号を増幅、希望局の選局を行い、映像／音声信号、各種データ信号が混合されたデジタルデータ、いわゆるＴＳデータを復調、分離し、映像／音声信号は、第１デコーダ部１２０４へ、データ放送データ、ＥＰＧデータ、課金情報、イベントデータ等のその他の放送関連情報データは、内部バスＳ１２９を通して、１２９０制御部へ出力するものである。
【００４２】
１２０３は、第１フレーム情報検出部であって、チューナ部１２０２で受信した映像信号の中から、撮影周期単位の映像付加データを、映像信号／音声信号から分離検出し、その中のフレーム撮影情報の中に、図４と同様、録画モードが動画・静止画モードであって、プログレッシブ撮影フラグが存在し、その値が“１”である場合は、第１デコーダ部１２０４にその情報を送る。フレーム情報は、制御部１２９０の要求に応じて内部バスＳ１２９へも出力する。
【００４３】
図８は、第１フレーム情報検出部１２０３より出力される撮影周期の撮像周期信号ＶＤと、映像信号Ｖｉ、プログレッシブ撮影信号ＨＳの図であり、プログレッシブ撮影信号ＨＳが“１”の周期の映像は、撮影時、高速シャッター、プログレッシブ撮影されたことを表しており、これを２周期分合成するとプログレッシブ撮影フレームが得られる。
【００４４】
１２０４は、放送映像／音声データの第１デコーダ部であって、分離された映像／音声信号をデコードし、音声制御部１２１１、画像制御部１２２１へ出力する。また、プログレッシブ撮影フラグより、高速シャッター、プログレッシブで撮影周期画像のプログレッシブ撮影信号ＨＳを“１”とし、映像信号と共に、画像制御部１２２１へ出力する。
【００４５】
１２１１は、音声制御部であって、第１デコーダ部１２０４、デコーダ部１２３２、及び、内部バスＳ１２９よりの音声データを切替えあるいは合成し、音量、音質、臨場感などを制御し、音声出力部１２１２へ出力する。
【００４６】
１２１２は音声出力部であって、音声制御部１２１１より入力された音声信号を増幅し、スピーカより音声を出力する。１２２１は、画像制御部であって、ＴＶ装置１２の電源がＯＮである場合は、制御部１２９０よりの制御によって、同期信号に同期して第１デコーダ部１２０４、あるいはデコーダ部１２３２より出力されるプログレッシブ撮影信号を監視しており、その信号がある場合は、その信号が“１”に対応する第１デコーダ部１２０４、あるいはデコーダ部１２３２の画像を選択し、ＯＤＤとＥＶＥＮフィールドの合成後、後述するキャプチャメモリ１２２３に格納している。プログレッシブ撮影信号がない場合は、格納はされない。
【００４７】
また、各種画像データ、さらに内部バスＳ１２９よりの画像データを、制御部１２９０よりの制御に基づいて切替え、合成、拡大／縮小等を行い、表示器１２２２へ出力する。また、キャプチャメモリ１２２３に格納した静止画データを、キャプチャメモリ１２２３より読み出し、表示器１２２２へ出力する。
【００４８】
１２２２は表示器であって、画像制御部１２２１よりの画像データを表示する表示器である。１２２３はキャプチャメモリであって、制御部１２９０よりの制御によって画像制御部１２２１よりのプログレッシブ撮影フレームを静止画データとしてキャプチャし格納する。
【００４９】
キャプチャメモリ１２２３は、ＦＩＦＯ構造になっており、キャプチャメモリが空き容量がなくなった場合には古い画像が捨てられ、常に最新の画像が格納されるようになっている。 本実施の形態１では、連続で２０枚の静止画データを格納できるようになっている。
【００５０】
１２３０はインターフェイス部であって、ＤＶ装置１１を接続し、ＤＶ装置１１で撮影された映像／音声を再生するためのものであり、本実施の形態１では、ＤＶ装置１１と同様にＩＥＥＥ１３９４バスを使用したものである。
【００５１】
１２３１は、第２フレーム情報検出部であって、撮像部１１ａで撮影され、あるいは記録部１１５より再生され、インターフェイス部１２３０経由で入力された映像、音声、付加情報の合成データから、図４の撮影フレーム情報を分離、検出し、フレーム情報の中にプログレッシブで撮影した画像が検出された場合は、プログレッシブ撮影情報を映像データと共にデコーダ部１２３２へ出力する。尚、分離された付加情報は、制御部１２９０の要求に応じ、内部バスＳ１２９へも出力する。
【００５２】
１２３２は、第２デコーダ部であって、ＤＶ装置１１の映像／音声データをデコードし、プログレッシブ撮影信号と共に映像データを画像制御部１２２１、音声制御部１２１１へ出力するものである。同時に、プログレッシブで撮影した画像である場合は、対応する周期のプログレッシブ撮影信号ＨＳを“１”とし、画像制御部１２２１へ出力する。
【００５３】
１２４０はデータ保存部であって、データ放送データ、ＥＰＧデータ、課金情報、イベントデータ等のその他の放送関連情報データの保存や、キャプチャメモリ１２２３に格納された静止画データの保存を行うものである。
【００５４】
１２８０はリモコン制御部である。このリモコン制御部１２８０は、赤外線を利用したリモコン送受信制御部であって、ＴＶ視聴者が操作することにより送信される、後述するリモコン装置１３とデータの送受信を行い、そのデータを制御部１２９０に転送する。
【００５５】
１２９０はシステム制御部であって、ＴＶ装置１２内各部を統括的に制御する。ＣＰＵ、主記憶、バス制御部、プログラム格納部、パラメータ格納部等を有して構成される。ＴＶ受信においては前述したチューナ部１２０２の制御を行い、チャネル切り替え、課金制御、ＥＰＧデータ、放送イベントテーブル等、情報データ分析等の制御などを行う。また、画像制御部１２２１を制御し、チューナ部１２０２、インターフェイス部１２３０等よりの映像・音声信号、アイコン、各種情報表示等を行う。同様に、音声制御部１２１１を制御し、音声の合成、出力制御を行い、音声出力部１２１２への出力制御を行う。
【００５６】
静止画キャプチャ時においては、ＴＶ視聴者によるリモコン装置の操作、及び、映像付加データよりの情報に基づき、モードの設定、キャプチャする画像の選択、表示、該画像のデータ保存部１２４０への保存等を制御する。
【００５７】
Ｓ１２９は、内部バスであって、データバス及び制御バスとしての機能を有し、前述してきたように、画像、音声データの転送、各部情報の転送に使用されるＴＶ装置１２内のバスである。
【００５８】
図１６は、リモコン装置１３のブロック図を示している。１３０１は、リモコン送信部であって、後述するリモコンキー部１３０２より出力されたリモコンキーデータを、ＴＶ装置１２内のリモコン制御部１２８０へ送信する。
【００５９】
１３０２はリモコンキー部であって、ＴＶ視聴者が、ＴＶ装置１２及びＴＶ装置１２に接続された他の装置等を操作するためのキーボタンである。 リモコンは、電源ＯＮ／ＯＦＦ、入力の切替え、チャネル切替え、音量ｕｐ、音量ｄｏｗｎ、表示画像キャプチャ、メニュー、上カーソル、下カーソル、左カーソル、右カーソル、決定、戻る、等の各種操作キーボタンを有しており、ＴＶ操作に使用する。
【００６０】
１３０３はリモコン統括部であって、リモコン装置１３を統括的に制御する。キーの操作、キーの押下検出、キーコードデータの生成、キーコードデータのリモコン送信部１３０１よりの送信といった制御を行う。
【００６１】
次に、図９に示すフローチャートを用いて本実施の形態１に係るＤＶ装置１１の動作について説明する。ＤＶ装置１１では、前述した動画・静止画撮影モードの選択がなされ、撮影ボタンを押されたとする。
【００６２】
まず、統轄制御部１１９は、動画・静止画撮影モードの選択され、撮影開始ボタンが押下されたことを撮像制御部１１０９へ報知する。撮像制御部１１０９は適当なアイリスと蓄積時間を設定し、測光処理を行い、動画撮像に適したアイリス値範囲より最も小さいアイリス値をアイリス値として決定し、その決定値を、レンズＦ値等の撮影情報と共に、統轄制御部１１９へと報知する（ｓｔ２１０１）。
【００６３】
次に動画撮影に適した低速シャッター速度（蓄積時間）、１／６０秒（ｔｃ１）での増幅部１１０４におけるゲイン（Ｇ１）の算出を行う（ｓｔ２１０２）。続いて、静止画撮影に適した蓄積時間、１／２５０秒（ｔｃ２）での増幅部１１０４におけるゲイン値（Ｇ２）の算出を行う。これは、蓄積時間１／２５０秒の映像信号は、蓄積時間１／６０秒の映像信号に比べてレベルが低くなるためであり、増幅部１１０４において、Ｇ１より大きなゲインＧ２で増幅し、蓄積時間１／６０秒の映像信号とほぼ同一レベルに増幅されるように算出される（ｓｔ２１０３）。
【００６４】
そして、低速シャッター速度、インターレス読み出しの設定を行い、１周期撮影し（ｓｔ２１０５、ｓｔ２１０６）、撮影周期ごとに、奇数／偶数ラインを交互に読み出すインターレス読み出しを行い、映像出力信号Ｖｏとして変換部１１２へ出力すると共に、撮影フレーム情報として録画モードを“動画・静止画モード”、プログッレシブ撮影フラグを”０“に設定し、シャター速度値等他の情報と共に撮影情報データＭｏとし、データ合成部１１３へ出力する（ｓｔ２１０７）。これらの波形は図３に示したとおりである。
【００６５】
そして、９フレーム（１８フィールド、８撮影周期）撮影すると（ｓｔ２１１１）、次に高速シャター速度、２倍速プログレッシブ読み出しの設定値とし、１撮影周期待機する。    そして、１／２５０秒高速シャッターで１周期撮影後、インターレス時の２倍の速度でプログレッシブで読み出し、撮影フレーム情報として、録画モードを“動画・静止画モード”、プログッレシブ撮影フラグを”１“に設定し、変換部１１２へ出力する（ｓｔ２１１２、ｓｔ２１１３、ｓｔ２１１４）。
【００６６】
次に、変換部１１２において入力された映像信号をデジタル化する。その後、プログレッシブのフレーム画像を検出し、これを奇数／偶数ラインに分割し、前述図３のデータＤｏのごとく、インターレス画像として再配置を行い、ＤＶフォーマットに変換後、出力する。
【００６７】
そして、データ合成部１１３において、撮像制御部１１０９より出力された撮影情報データＭｏと、統轄制御部１１９より得られる撮影モード情報とを映像付加データとしてまとめる。この際、前記変換部１１２でインターレス変換された画像データには、撮影時の情報を付加する。これに、変換部１１２でＤＶフォーマットに変換された映像データ、音声入力部１１４よりの音声データ等を合成して出力する。
【００６８】
統轄制御部１１９は、撮影開始ボタンが押下されたことを撮像制御部１１０９へ報知すると共に、記録部１１５の動作制御を行って記録動作を開始する。そして、撮像部１１ａより出力される映像出力信号Ｖｏを変換部１１２で変換後、合成部１１３において音声データと撮影フレーム情報等とを合成し、記録部１１５へ記録する。以上のように動作することで、動画・静止画モードによる撮影、記録がなされる。
【００６９】
次に、動画・再生モードで記録されたＤＶ装置１１の動画映像から、好みの静止画キャプチャを行う動作について図１０に示すフローチャートを用いて説明する。
【００７０】
ＤＶ装置１１とＴＶ装置１２はネットワークＳ１１で接続されている。ＴＶ視聴者は、リモコン装置１３で、ＴＶ装置１１の入力を、インターフェイス部１２３０に切替える。      
【００７１】
これにより、画像制御部１２２１は、第２デコーダ部１２３２よりの映像をキャプチャメモリ１２２３へ書き込み、表示器１２２２へ表示することが可能なように設定される。
【００７２】
そして、ＤＶ装置１１の再生ボタンを押下すると再生が開始され、記録部１１５に撮影された合成データが、インターフェイス部１１６、ネットワークＳ１１、インターフェイス部１２３０を経由し、第２フレーム情報検出部１２３１に入力される。第２フレーム情報検出部１２３１で合成データの映像付加データを分離し、映像・音声信号を第２デコーダ部１２３２へ出力すると共に、撮影フレーム情報の中に動画・静止画モードを検出すると、プログレッシブ撮影フラグが“１”のフィールドを識別する信号が第２デコーダ部１２３２に送られる。
【００７３】
第２デコーダ部１２３２は、ＤＶフォーマットの映像をデコードし、プログレッシブ撮影フラグが“１”のフィールドに同期し、プログレッシブ撮影信号を“１”とし、画像制御部１２２１へ出力する。音声データもデコードされ、音声制御部１２１１を経て、音声出力部１２１２より出力される。
【００７４】
画像制御部１２２１は、入力した映像データを表示器１２２２へ出力する。この際、プログレッシブ撮影信号が“１”のフィールドに対し、その前後のフレームと共により動画画像に適した補正処理を行い表示する。また、プログレッシブ撮影信号が“１”のフィールドを選択し、２フィールドを合成しフレームとした画像データを、タイムスタンプ（時刻情報）と共にキャプチャメモリ１２２３に書き込む。高速シャッターのプログレッシブ撮影画像は、１０フレームに１フレームの割合で撮影されているので、キャプチャメモリにも１０フレームに１フレームの割合で書き込まれる。ＤＶ装置１１の視聴者は、低速シャターと高速シャッターが混合された映像を視聴しているが、高速画像は１０フレームに１フレームなので、通常の低速シャッター撮影画像とほとんど変らない映像を視聴している。
【００７５】
例えば、ＴＶ視聴者が表示映像の中にキャプチャしたい画像があり、リモコン１３のキャプチャボタンを押下したとする。すると、図１０の、画像キャプチャアプリケーションが動作を開始する。
【００７６】
まず、リモコン制御部１２８０で受信され、統轄制御部１２９０によって認識され、キャプチャボタンが押下された時点で表示されている動画のタイムスタンプを検出し、キャプチャメモリ１２２３内のプログレッシブ撮影画像を検索し、検出されたプログレッシブ撮影画像のタイムスタンプ時刻がボタン押下時タイムスタンプ時刻より０．３秒以上後であればその画像を、そうでない場合はそれより１つ前のタイムスタンプの画像をキャプチャ画像として決定する。このようにして視聴者がキャプチャボタンを押下した時刻に最も近い時刻の動画画像より、ある時間内の画像をキャプチャプログレッシブ画像に決定する。
【００７７】
この０３秒という値は、プログレッシブ画像撮影周期、ユーザ設定等に応じ変更することは可能である。そして決定されたキャプチャプログレッシブ撮影画像データを画像制御部１２２１に出力し、第２デコーダ部１２３２よりの映像データと切替え、表示装置１２２２に表示する。これにより、ＴＶ視聴者は高速シャッター、プログレッシブで撮影したクリアで高解像度の静止画像を視聴できる（ｓｔ２２０１）。
【００７８】
同時に、第２デコーダ部１２３２より、キャプチャメモリ１２２３への書き込みを、１０フレーム書き込んだ後に停止する。すなわち、視聴者がキャプチャボタンを押下した前後９から１０フレームの高速シャッター撮影画像がキャプチャメモリに格納された状態になる（ｓｔ２２０２）。そして、インターフェイス部１２３０経由で、ＤＶ装置１１に一時停止コマンドを発行し、ＤＶ装置１１の再生を一時停止させる（ｓｔ２２０３）。
【００７９】
次に、制御部１２９０が、この後、押下されるリモコンキー部１３０２により動作する。上カーソルが押下されると、現在表示中のものより１つ前の画像がキャプチャメモリ１２２３より画像制御部１２２１へと読み出され、表示器１２２２へと出力されて表示される。逆に、下カーソルキーが押下されると、表示中のものより１つ後の画像がキャプチャメモリ１２２３より画像制御部１２２１へと読み出され、表示器１２２２へと出力されて表示される。キャプチャメモリ１２２３は２０フレーム分格納可能なので、この操作は、キャプチャボタン押下前９フレーム、後１０フレームまで表示可能である（ｓｔ２２０５、ｓｔ２２２１）。決定キーが押下されると、表示されている静止画をデータ保存部１２４０に保存する（ｓｔ２２０６、ｓｔ２２３１）。このアプリケーションの終了を指示するキーとなっている「戻るキー」が押下されると（ｓｔ２２０７）、一時停止しているＤＶ装置１１に、再生のコマンドを発行し、再び再生を開始させ（ｓｔ２２２１）、画像制御部１２２１によって第２デコーダ部１２３２に切替え、ＤＶ装置１１の映像を表示し（ｓｔ２２２２）、終了する。それ以外のキーが押下された場合は、そのキーの対応処理を行う（ｓｔ２２０８、ｓｔ２２４１）。
【００８０】
また、タイムアウトを監視しており、予め定められた時間キーが押下されない場合、一時停止しているＤＶ装置１１に再生のコマンドを発行し、再び再生を開始させ（ｓｔ２２２１）、画像制御部１２２１により第２デコーダ部１２３２に切替え、ＤＶ装置１１の映像を表示し（ｓｔ２２２２）、終了する。
【００８１】
上記の動作により、ＴＶ視聴者は、なめらかな動画を再生中に、高速シャッター、プログレッシブで撮影したクリアで高解像度の画像をキャプチャすることが可能となり、かつ、キャプチャ前後の複数枚の中からさらに気に入った画像を選択することも可能となる。
【００８２】
［実施の形態２］
次に本発明の実施の形態２について説明する。この実施の形態２においては、放送局で撮影された番組を放送として伝送する場合について説明する。図１１は、実施の形態２に係る表示装置を含む映像システムを示すブロック図である。
【００８３】
５１１は、ビデオカメラ装置であって、動画映像の撮影を行い出力する。５１２は、録音装置である。５１３は変換制御装置であって、ビデオカメラ装置５１１のデータと録音装置５１２のデータとを放送波として出力できる状態に変換し、他のデータと切替え、合成を行う。５１４は変換制御装置５１３よりのデータをデジタル変調し、アンテナより送出する送信装置である。
【００８４】
ＴＶ装置１２は、実施の形態１と同様に放送局よりの電波を受信し、映像、音声、及び操作データ等の表示、及び音声出力、リモコン装置１３からの操作により表示された画像の静止画キャプチャ制御、表示を行うものである。リモコン装置１３も、実施の形態１において説明したものと同様である。
【００８５】
図１２は、ビデオカメラ装置５１１の詳細を示すブロック図である。５１１０１は撮影光、集光のためのレンズである。５１１０２はハーフミラー型の分光装置であり、レンズによって集光された光を２つに分割する。５１１０３，５１１１３はアイリスであり、分割された２つの光のＣＣＤへの入力量を調節するものであって、後述する制御部５１１９９により、独立に制御される。
【００８６】
５１１０４，５１１１４はＣＣＤ撮像素子であり、１画面の光入力を蓄積してこれを電気信号に変換し、映像信号として後述する増幅部５１１０５，５１１１５、及び制御部５１１９９へ出力する。  ＣＣＤへの光蓄積時間は、制御部５１１９９により制御される。５１１０５，５１１１５は増幅部であり、サンプル・ホールド部と、サンプル・ホールド部よりの信号を増幅する可変増幅部より構成されており、ＣＣＤにより変換された映像信号をサンプリング、ホールド後、増幅し、後述する映像信号切替えスイッチ部５１１２１へ、映像信号Ｖｉａ，Ｖｉｂとして出力する。その可変増幅部のゲインは、制御部５１１９９により変えられるようになっている。
【００８７】
このように、本ビデオカメラ装置５１１は、同一の光入力に対して２系統の撮像系を有する。５１１２１は、映像信号切替えスイッチ部であり、２つのＣＣＤ撮像素子５１１０４，５１１１４で撮像、増幅された２系統の映像信号Ｖｉａ、Ｖｉｂを、フィールド、あるいはフレーム単位で切り替えるものであり、制御部５１１９９により制御される。
【００８８】
５１１２２は変換部であって、映像信号切替えスイッチ部５１１２１よりの映像信号をデジタル信号に変換し、入力した映像がプログレッシブ撮影されたフレーム画像かインターレス撮影されたフィールド画像かを判別する。フレーム画像である場合は、これを奇数ラインと偶数ラインに分割し、２フィールドのインターレス画像とし、全体としてインターレス画像データＳ５１１ａとして変換制御装置５１３へ出力する。
５１１９は、ビデオカメラ装置５１１を統括的に制御する制御部である。この制御部５１１９は、モードの設定、撮影の開始／停止、といった操作ボタンや操作の際にユーザが各種の確認を行うための小型表示装置等を含む。制御部５１１９は、ＣＣＤ撮像素子５１１０４，５１１１４により電気信号に変換された映像信号の入力、測光処理を行い、１撮影周期の光蓄積量がＣＣＤ撮像素子５１１０４，５１１１４の蓄積容量をオーバーしないように、アイリス、及び、蓄積時間を制御する。なお、その蓄積時間がビデオカメラ装置５１１にとってのシャッター速度となるのは、前述したところである。また、制御部５１１９において、２系統の撮像系に対して異なるアイリス値、シャッター速度、ゲイン、インターレス／プログレッシブ読み出しを設定することができる。制御部５１１９は、変換された映像信号レベルに応じて増幅部５１１０４，５１１１４の可変増幅部を制御し、アイリスとＣＣＤ蓄積時間と共に映像信号Ｖｉａ、Ｖｉｂを統合的に制御したり、２系統の映像のうちどちらをどのような割合で出力するかを制御する。もちろん、片方のみの出力も可能である。同時に、２系統の映像信号の切替え信号、その映像信号の同期信号も出力する。
【００８９】
また、ビデオカメラ装置５１１の撮影者により指示された撮影モードに基づき、シャッター速度等の設定情報に基づき、各部の制御を行う。撮影時に設定され、２系統で撮像した際のアイリス値、シャッター速度（ＣＣＤ蓄積時間）等の撮影情報データを、撮影周期単位でインターレス画像データＳ５１１ａとして出力する。切替えて出力される映像フィールド、フレームのアイリス値、シャッター速度（蓄積時間）等の撮影情報を撮影周期に同期して撮影フレーム情報信号Ｓ５１１ｂとして出力する。
【００９０】
図１４は、ビデオカメラ装置５１１の信号を示している。ＶＤは、撮像周期信号であり、ビデオカメラ装置５１１はこの撮像周期信号ＶＤを元に動作している。本実施の形態２においては、フィールド周期は、１／６０秒である。２系統の撮像系のうち、一方は動画に適した低速シャッターによるインターレス撮像をした場合であり、他方は撮影周期１／３０秒で静止画に適した高速シャッターによるプログレッシブ撮像をした場合である。
【００９１】
ＣＨＧａは、動画に適した低速蓄積時間（低速シャッター）制御信号（ｔｃ１）であり、この低速蓄積時間制御信号ＣＨＧａに基づき、ＣＣＤ撮像素子５１１０４への光蓄積が行われる。ＣＨＧｂは、静止画撮影に適した高速蓄積時間（高速シャッター）制御信号（ｔｃ２）であり、この高速蓄積時間制御信号ＣＨＧｂに基づき、ＣＣＤ撮像素子５１１１４への光蓄積が行われる。
【００９２】
Ｖｉａは、ＣＣＤ撮像素子５１１０４から低速蓄積制御信号ＣＨＧａに基づいてインターレスで読み出され、増幅部５１１０５で増幅された映像信号であり、Ｖｉｂは、ＣＣＤ撮像素子５１１１４から高速蓄積制御信号ＣＨＧｂにより、プログレッシブで読み出され、増幅部５１１１５で増幅された映像信号である。
【００９３】
ＳＷは、動画撮影フィールドと静止画撮影フレームとの切替え信号であり、通常は低速シャッター撮影映像を出力し、ｎフレーム（２ｎフィールド）に１フレームは高速シャッター撮影映像を出力するように切替える映像切替え信号である。Ｖｏは、映像信号切替えスイッチ部５１１２１により切替えられた映像出力信号である。図示していないが、前述のように同期信号等もこの映像出力信号Ｖｏに含まれる。
【００９４】
Ｓ５１１ｂは、切替えて出力される映像フィールド、あるいはフレームのアイリス値、シャッター速度（蓄積時間）等の撮影情報を撮影周期に同期して出力する撮影フレーム情報信号である。
【００９５】
図１３は、変換制御装置の詳細を説明する図である。５１３１は、画像変換部であり、入力されるデジタルの映像信号Ｓ５１１をＭＰＥＧ２のストリームデータに変換し、合成及び切替え制御部５１３３へ出力する。この際、入力される撮影フレーム情報信号Ｓ５１１ｂは、ピクチャ層であるＩ、Ｂ、Ｐの各ピクチャ内の拡張情報を記述するＥＢＰ、ＥＩＰセクションに映像付加データとして書き込まれる（図１５参照）。また、前述のフレーム画像を２フィールドに分割した画像データには、フレームとして撮影された撮影フレーム情報信号Ｓ５１１ｂが映像付加データとしてそれぞれ書き込まれる。
【００９６】
５１３２は、音声装置５１２より出力される音声データをデジタル圧縮し、合成及び切替え制御部５１３３へ出力する音声変換部である。合成及び切替え制御部５１３３には、画像変換部５１３１よりのＭＰＥＧ２ストリームデータ及び音声変換部５１３２よりの圧縮音声データが入力され、図示しない記録装置等よりケーブルＳ５１２を介して他の映像／音声データも入力される。これら入力された各種の画像を合成し切り替えて、合成及び切替え制御部５１３３は最終的に電波として伝送するデータを選択し出力する。また、入力された撮影映像／音声データをケーブルＳ５１２を介して図示しない記録装置等への出力する機能も有する。
【００９７】
５１３４はＴＳ生成部であって伝送すべきデータをパケット化し、ＴＳデータ、いわゆるトランスポート・ストリームデータに変換し出力する。このＴＳデータが、送信装置５１４より変調され、放送電波となって空中に出力される。出力した放送電波を受信するＴＶ装置１２は、実施の形態１において説明したものと同様である。
【００９８】
次に、前述のビデオカメラ装置５１１により撮影され、ＴＳ信号となって放送されたものを、ＴＶ装置１２で受信する際の動作について説明する。
【００９９】
ＴＶ視聴者は電源スイッチ投入後リモコン装置１３でチャンネルを切替え、番組を視聴する。例えば、視聴中の番組が、ビデオカメラ装置５１１で撮影されたものであるとする。アンテナ部１２０１で受信され、チューナ部１２０２でＴＳデータに復調され、さらに分離されて、映像／音声信号は第１デコーダ部１２０４へ出力される。データ放送データ、ＥＰＧデータ、課金情報、イベントデータ等のその他の放送関連情報データは、内部バスＳ１２９を通して、制御部１２９０へ出力される。
【０１００】
次に、第１フレーム情報検出部１２０３でその映像／音声信号の中から映像データであるＭＰＥＧ２ストームと圧縮音声信号とを分離し、ＭＰＥＧ２ストリーム中のＥＢＰ、ＥＩＰデータを解析して、この画像が高速シャッター撮影フレームかどうか判別し、高速シャッター撮影情報としてＭＰＥＧ２ストリームと共に第１デコーダ部１２０４へ出力する。そして、プログレッシブ撮影画像がある場合は、プログレッシブ撮影信号を“１”とし、図８に示すように、第１デコーダ部１２０４より映像フィールド信号に同期して出力する。
【０１０１】
その後、映像データが画像制御部１２２１へ出力された後の動作は、実施の形態１と同様であり、高速シャター情報信号に基づいてキャプチャを行うことで、クリアで高解像度の画像のキャプチャが可能となる。なお、分離された圧縮音声信号は、そのまま第１デコーダ部１２０４へ転送されデコードされて、音声制御部１２１１、音声出力部１２１２を通して出力される。
【０１０２】
［変形例］
上記の実施の形態においては、高速シャッター、プログレッシブ撮影時のシャッター速度は一定であったが、被写体の動きの速さを予測し、高速シャッター速度を変化させてもよい。また、上記実施の形態においては、一定の数ｎ回に1回の割合で高速シャッターに切替えたり、プログレッシブ撮影画像に切替えたりしたが、ｎは一定でなくともよい。
【０１０３】
このように、シャッター速度やｎが変化する場合、シャッター速度そのものを監視していなくとも、プログレッシブ撮影フラグが“１”の画像を監視していればよく、制御が容易になる。また、上記実施の形態においては、シャッター速度は、低速と高速の２種類を使い分ける動画・静止画モードで説明したが、その構成から明らかなように、３種類以上の複数のシャッター速度を状況によって使い分ける複数シャッター速度モードを予め決めておいてもよい。ある撮影モードで撮影する場合にある一定速度以上のシャッター速度でプログレッシブ撮影したフレームのプログレッシブ撮影フラグを“１”とし、受信側のＴＶ装置でこれを検知し、キャプチャする方法も可能である。
【０１０４】
以上、本発明の好ましい実施の形態を説明したが、本発明はこれらに限定されるものではなく、その要旨の範囲内で様々な変形や変更が可能である。
【図面の簡単な説明】
【０１０５】
【図１】本発明の実施の形態１に係る映像装置全体の概略を示すブロック図である。
【図２】図１に示すＤＶ装置の内部構成を示すブロック図である。
【図３】撮像部内の信号の状態を示す図である。
【図４】映像付加データの内容を示す図である。
【図５】磁気テープ上の記録フォーマットを説明する概念図である。
【図６】インターフェイス部からの出力フォーマットを示す図である。
【図７】ＴＶ装置の内部構成を示すブロック図である。
【図８】第１フレーム情報検出部から出力される信号を示す図である。
【図９】図１に示すＤＶ装置の動作を説明するフローチャートである。
【図１０】図１に示すＴＶ装置におけるキャプチャ動作を説明するフローチャートである。
【図１１】本発明の実施の形態２に係る映像装置を含む映像システムを示すブロック図である。
【図１２】図１１に示すビデオカメラ装置の内部構成を示すブロック図である。
【図１３】変換制御装置の詳細を説明するブロック図である。
【図１４】図１１に示すビデオカメラ装置の信号の状態を示す図
【図１５】図１１に示すビデオカメラ装置の出力データを説明する概念図である。
【図１６】リモコン１３の構成を示すブロック図である。
【符号の説明】
【０１０６】
１１…デジタルビデオカメラ装置（ＤＶ装置）
１１ａ…撮像部
１２…テレビ装置（ＴＶ装置）
１３…リモコン装置
７２Ｖ…映像データ
７４Ａ…音声データ
７３ＶＡＵＸ…映像付加データ
７１Ｈ…その他の情報データ
１１２…変換部
１１３…データ合成部
１１４…音声入力部
１１５…記録部
１１６…インターフェイス部
１１９…統轄制御部
５１１…ビデオカメラ装置
５１２…録音装置
５１３…変換制御装置
５１４…送信装置
１１０１…レンズ部
１１０２…アイリス部
１１０３…撮像素子
１１０４…増幅部
５１３…撮像制御部
１２０１…アンテナ部
１２０２…チューナ部
１２０３…第１フレーム情報検出部
１２０４…第１デコーダ部
１２１１…音声制御部
１２１２…音声出力部
１２２１…画像制御部
１２２２…表示器
１２２３…キャプチャメモリ
１２３０…インターフェイス部
１２３１…第２フレーム情報検出部
１２３２…第２デコーダ部
１２４０…データ保存部
１２８０…リモコン制御部
１２９０…制御部
１３０１…リモコン送信部
１３０２…リモコンキー部
１３０３…リモコン統括部
５１３１…画像変換部
５１３３…合成及び切替え制御部
５１１０１…レンズ
５１１０２…分光装置
５１１０３，５１１１３…アイリス
５１１９…制御部
５１１０４，５１１１４…ＣＣＤ撮像素子
５１１０５，５１１１５…増幅部
５１１９９…制御部
５１１２１…映像信号切替えスイッチ部
５１１２２…変換部
ＣＨＧ…蓄積時間制御信号
ＣＨＧａ…低速蓄積時間制御信号（低速シャッター制御信号）
ＣＨＧｂ…高速蓄積時間制御信号（高速シャッター制御信号）
Ｄｏ…インターレス画像データ
Ｍｏ…撮影情報データ
Ｓ１１…ネットワーク
ＳＷ…切替え信号
Ｓ１２９…内部バス
Ｓ５１１…デジタル映像信号
Ｓ５１１ａ…インターレス画像データ
Ｓ５１１ｂ…撮影フレーム情報信号
Ｓ５１２…他の映像／音声データ
Ｖｉ…映像信号
Ｖｉａ…映像信号
Ｖｉｂ…映像信号
Ｖｏ…映像出力信号
ＶＤ…撮像周期信号
ＶＧ…ゲイン制御信号
【図１】
2005348050.tif 000003
【図２】
2005348050.tif 000004
【図３】
2005348050.tif 000005
【図４】
2005348050.tif 000006
【図５】
2005348050.tif 000007
【図６】
2005348050.tif 000008
【図７】
2005348050.tif 000009
【図８】
2005348050.tif 000010
【図９】
2005348050.tif 000011
【図１０】
2005348050.tif 000012
【図１１】
2005348050.tif 000013
【図１２】
2005348050.tif 000014
【図１３】
2005348050.tif 000015
【図１４】
2005348050.tif 000016
【図１５】
2005348050.tif 000017
【図１６】
2005348050.tif 000018